(57)【要約】【課題】高重量のパイプなどでも安全、確実に支持することができ、しかも、パイプの調整も容易にできる施工性の良いパイプ取付具を提供する。【解決手段】壁面Ｈ等に固定可能な固定部１１に支持片１２を突設してなる固定具１と、支持片１２に連結可能な取付板２１の先端に、パイプＰの外周面から突設された取付部Ｐ１を挟着可能な挟着部２２を設けた２枚の挟着片２、２と、該２枚の挟着片２、２を開閉自在に連結してなる連結材３と、２枚の挟着片２、２及び支持片１２を固着可能な締結具４と、より構成したことを特徴とする。【選択図】図１
2008308826.tif 000002
【特許請求の範囲】
【請求項１】
壁面等に固定可能な固定部に支持片を突設してなる固定具と、
前記支持片に連結可能な取付板の先端に、パイプの外周面から突設された取付部を挟着可能な挟着部を設けた２枚の挟着片と、
前記２枚の挟着片を開閉自在に連結してなる連結材と、
前記２枚の挟着片及び支持片を固着可能な締結具と、より構成したことを特徴とするパイプ取付具。
【請求項２】
請求項１において、
連結材を折曲可能な板片で形成してなるパイプ取付具。
【請求項３】
請求項１において、
連結材を開閉自在な蝶番体で形成してなるパイプ取付具。
【発明の詳細な説明】
【技術分野】
【０００１】
本発明は、竪樋等のパイプを壁面等に取付けるためのパイプ取付具に関する。
【背景技術】
【０００２】
従来、竪樋等のパイプを壁面等に取付けるためのパイプ取付具として、前記パイプを環状のリング体で包持すると共に、このリング体の基端を壁面等に固定金具で固定するものが一般に知られている。
【０００３】
ところが、このようなパイプ取付具では、施工後のパイプの適所に、前記リング体が点在して外被されてしまうため、住宅のデザイン性を損なうという問題があった。
【０００４】
そこで、このような住宅のデザイン性を確保するため、近年では、施工後のパイプに前記リング体が外被されないように、パイプの背面側の外周面から外方に向けて突設された取付部を長手方向に形成すると共に、前記取付部を弾発的に挟持する挟着片を先端に備えた取付具の基端を、壁面等に固定してなるパイプ取付具が開発されている（例えば、特許文献１参照。）。
【０００５】
このパイプ取付具によれば、取付具の基端を壁面等に固定すると共に、この取付具の先端に設けた挟着片を、パイプの背面側に突設した取付部に弾発的に挟持することによって、施工後のパイプの正面側に取付具が見えることがなく、パイプをスッキリとした感じに仕上げて施工することができる。
【特許文献１】特開２０００−３４８１０
【発明の開示】
【発明が解決しようとする課題】
【０００６】
しかしながら、このパイプ取付具では、施工後のパイプをスッキリとした感じに仕上げることができる点では好ましいが、パイプの背面側に突設した取付部を、取付具の挟着片で弾発的に挟持する構造であるため、パイプの支持力が弱く、例えば、高重量のパイプなどは支持できないという問題に加え、風雨等に晒されるパイプに外的な荷重を受けると、パイプががたついたり、外れたりする危険があった。
【０００７】
又、施工時においては、壁面等に予め複数の取付具を固定したうえで、該取付具の先端に設けた挟着片にパイプの取付部を弾発的に挟持していくのであるが、壁面等に固定された前記取付具の位置が少しでもズレていると、前記パイプの取付部を前記挟着片に挟着することができず、施工が困難であるという問題もあった。
【０００８】
本発明は、かかる課題を解決することを目的とするもので、高重量のパイプなどでも安全、確実に支持することができ、しかも施工性の良いパイプ取付具を提供する。
【課題を解決するための手段】
【０００９】
請求項１に係るパイプ取付具は、壁面等に固定可能な固定部に支持片を突設してなる固定具と、前記支持片に連結可能な取付板の先端に、パイプの外周面から突設された取付部を挟着可能な挟着部を設けた２枚の挟着片と、前記２枚の挟着片を開閉自在に連結してなる連結材と、前記２枚の挟着片及び支持片を固着可能な締結具と、より構成したことを特徴とする。
【００１０】
請求項２に係るパイプ取付具は、請求項１において、連結材を折曲可能な板片で形成してなる。
【００１１】
請求項３に係るパイプ取付具は、請求項１において、連結材を開閉自在な蝶番体で形成してなる。
【発明の効果】
【００１２】
本発明によれば、次のような効果がある。
【００１３】
請求項１に係るパイプ取付具によれば、２枚の挟着片を連結材で開閉自在に連結した構造であるため、壁面等に固定した固定具の支持片に前記２枚の挟着片を締結具で仮止めしても、前記２枚の挟着片が開閉自在な状態となる。
【００１４】
そのため、壁面等に固定された前記固定具の位置が多少ズレていても、２枚の挟着片を開放することでパイプの取付部を挟持することができ、この取付部を２枚の挟着片で挟持したうえで、前記締結具を締付け（本締め）すれば、施工後のパイプががたついたり、外れたりする危険を確実に防止でき、施工性を高めることもできる。
【００１５】
請求項２に係るパイプ取付具によれば、連結材を折曲可能な板片で形成してなるため、パイプの取付部の位置に対応するように、連結材を折曲して２枚の挟着片を更に開放することができ、施工性をより高めることができる。
【００１６】
請求項３に係るパイプ取付具によれば、連結材を開閉自在な蝶番体で形成してなるため、２枚の挟着片を蝶番体でスムーズに開閉することができ、施工性をより高めることができる。
【発明を実施するための最良の形態】
【００１７】
以下、本発明に係るパイプ取付具を図面とともに説明する。
【実施例１】
【００１８】
図１は、本発明に係るパイプ取付具Ａの一実施例を示した分解斜視図であり、図２（ａ）、（ｂ）は、図１で示したパイプ取付具Ａの施工状態を上方から見た動作図である。
【００１９】
このパイプ取付具Ａは、壁面Ｈ等に固定可能な固定部１１に支持片１２を突設してなる固定具１と、支持片１２に連結可能な取付板２１の先端に、パイプＰの外周面から長手方向に亘って突設された取付部Ｐ１を挟着可能な挟着部２２を設けた２枚の挟着片２、２と、該２枚の挟着片２、２を開閉自在に連結してなる連結材３と、２枚の挟着片２、２及び支持片１２を固着可能な締結具４と、より構成してなる。
【００２０】
なお、本実施例のパイプＰは、円筒状に形成すると共に、この外周面の背面側に断面略三角形の取付部Ｐ１を一体形成したものを例示しているが、パイプＰの形状としては、図例のものに限定されず、例えば、四角筒状に形成したもの、三角筒状に形成したものでも構わない。
【００２１】
また、取付部Ｐ１の形状についても図例のものに限定されず、例えば、断面略四角形状や多角形状に形成したものでも良く、要は、取付部Ｐ１を２枚の挟着片２、２の挟着部２２によって挟着できる形状であれば採用できる。
【００２２】
固定具１は、壁面等に固定するための固定部１１を設け、この固定部１１の前方に向けて板状の支持片１２を一体形成している。
【００２３】
又、支持片１２には、前、後に向けて長孔１３を開設すると共に、２枚の挟着片２、２の取付板２１にも前、後に向けて長孔２３、２３を開設しており、壁面Ｈ等に固定される支持片１２に対して２枚の挟着片２、２が前、後方向に出具合を調整できるようにしている。
【００２４】
なお、本実施例の固定部１１は、壁面Ｈ等に埋設して固定されるボルト軸を例示しているが、この固定部１１は、固定具１を壁面Ｈ等に確実に固定できるものであれば良く、例えば、ボルト、ナットや、ネジ等による固定手段、釘等による固定手段であっても構わない。
【００２５】
２枚の挟着片２、２は、１枚の金属板を折り曲げて２枚の取付板２１、２１を形成し、その折曲げた部分を連結材３にして、２枚の挟着片２、２を開閉自在に連結している。
【００２６】
もっとも、後述するように、２枚の挟着片２、２を各々別体で形成し、両者を連結材３で連結することも可能である。
【００２７】
又、２枚の取付板２１、２１の先端には、一旦外側に向けて折曲膨出させて更に内側に折返した挟着部２２を各々形成しており、両者の挟着部２２を合わせることでパイプＰの取付部Ｐ１を挟着可能にしている。
【００２８】
なお、前述の通り、パイプＰの取付部Ｐ１の形状が変われば、その形状に応じた挟着部２２を形成することは当然である。
【００２９】
又、図示しないが、２枚の取付板２１、２１の適所に補強用リブを形成し、部材の強度を高めることも可能である。
【００３０】
締結具４は、ボルト４１及びナット４２で構成しているが、２枚の挟着片２、２及び支持片１１を固着可能なものであれば、本実施例で示したボルト４１、ナット４２以外の構成による締結具４を採用することは可能である。
【００３１】
なお、本実施例では、１組のボルト４１とナット４２を例示しているが、その数量は特に限定されず、例えば、複数組のボルト４１とナット４２で締結すれば、パイプ取付具Ａの振れを防止できるため好ましい。
【００３２】
以上のように構成した本発明に係るパイプ取付具Ａは、以下の要領で施工する。
【００３３】
先ず、壁面等の適所にアンカー（不図示）等を埋設し、このアンカー（不図示）等に固定具１の固定部１１を螺合して、複数の固定具１を所定間隔で壁面Ｈ等に固定する。
【００３４】
次に、２枚の挟着片２、２の取付板２１に開設した長孔２３の一方からボルト４１を貫通したうえで、このボルト４１を更に固定具１に突設された支持片１２の長孔１３に貫通させ、他方からナット４２を軽く締めて（仮締めして）２枚の挟着片２、２を仮止めする〔（図２（ａ）参照。〕。
【００３５】
この仮締め状態においては、２枚の挟着片２、２及び支持片１２が一体化しているが、２枚の挟着片２、２は、ボルト４１の略長さに応じて開閉可能な状態である。
【００３６】
そのため、２枚の挟着片２、２を手指で押し広げると先端を開放でき、この開放した２枚の挟着片２、２の間に、パイプＰの取付部Ｐ１を容易に挿入することができる。
【００３７】
そして、２枚の挟着片２、２を手指で閉めれば、挟着部２２がパイプＰの取付部Ｐ１を挟持し、この仮挟持した状態で、パイプＰの長手方向又は出具合（半径方向）を所望の位置に調節する。
【００３８】
なお、２枚の挟着片２、２の開き寸法（間隔）は、取付部Ｐ１の巾寸法より大きくするのが好ましい。
【００３９】
最後に、ナット４２を締め付けて２枚の挟着片２、２及び支持片１１をスパナ等の工具で確実に締付けて（本締めして）施工を完了するのである〔（図２（ｂ）参照。〕。
【００４０】
このように、本発明に係るパイプ取付具Ａによれば、２枚の挟着片２、２を連結材３で開閉自在に連結した構造であるため、壁面Ｈ等に固定した固定具１の支持片１１に２枚の挟着片２、２を締結具４で仮止めしても、２枚の挟着片２、２が開閉自在な状態となる。
【００４１】
そのため、壁面Ｈ等に固定された固定具１の位置が多少ズレていても、２枚の挟着片２、２を開放することでパイプＰの取付部Ｐ１を挟持することができ、この取付部Ｐ１を２枚の挟着片２、２で挟持したうえで、締結具４を締付け（本締め）すれば、施工後のパイプＰががたついたり、外れたりする危険を確実に防止して、高重量のパイプＰなどでも安全、確実に支持することができる。
【００４２】
又、２枚の挟着片２、２を壁面等に固定した固定具１の支持片１２に仮止めできるうえ、パイプＰの位置も容易に調節できるため、作業性を高めることができるうえ安全である。
【実施例２】
【００４３】
図３、図４は、本発明に係るパイプ取付具Ａの他の実施例を示した分解斜視図である。
【００４４】
ここで、図１、２と共通する部材には、同一の符号を付して重複する説明を省略し、以下では、本実施例の特徴についてのみ説明する。
【００４５】
図３で示したパイプ取付具Ａは、２枚の挟着片２、２を各々別体で形成し、両者を折曲可能な板片で形成してなる連結材３によって連結した構造にしている。
【００４６】
具体的には、２枚の挟着片２、２の上方適所に、各々連結孔２４を開設すると共に、板片の連結材３の両端側に同径の連結孔３１を開設する。
【００４７】
そして、この板片の連結材３３を、図のように湾曲させて２枚の挟着片２、２の外側に接合して、連結材３の連結孔３１を２枚の挟着片２、２の各々連結孔２４に重合し、外方よりリベット３２で固着してなる。
【００４８】
このように連結材３を折曲可能な板片で形成してなるパイプ取付具Ａによれば、パイプＰの取付部Ｐ１の位置に対応するように、連結材３を折曲して２枚の挟着片２、２を更に開放することができ、施工性をより高めることができる。
【００４９】
図４で示したパイプ取付具Ａは、２枚の挟着片２、２を各々別体で形成し、両者を開閉自在な蝶番体で形成してなる連結材３によって連結した構造にしている。
【００５０】
具体的には、２枚の挟着片２、２の上方適所を相互に異なる位置で筒状に形成して軸受部２５を形成すると共に、これら軸受部２５に軸部材２５を貫通して、軸受部２５の先端をカシメ止め、２枚の挟着片２、２を開閉自在な蝶番体に形成してなる。
【００５１】
このように連結材３を蝶番体で形成してなるパイプ取付具Ａによれば、２枚の挟着片２、２を蝶番体でスムーズに開閉することができ、施工性をより高めることができる。
【００５２】
図５〜図７は、本発明に係るパイプ取付具Ａの更に他の実施例を示した分解斜視図である。
【００５３】
ここで、図１〜４と共通する部材には、同一の符号を付して重複する説明を省略し、以下では、本実施例の特徴についてのみ説明する。
【００５４】
すなわち、図１〜図４で示したパイプ取付具Ａの連結材３が、２枚の挟着片２、２の上端に形成したのに対し、これら図５〜図７では、連結材３を２枚の挟着片２、２の基端に形成した点で相違するものである。
【００５５】
具体的には、図１、２のパイプ取付具Ａ（一体型）は、図５のパイプ取付具Ａと、図３のパイプ取付具Ａ（板片型）は、図６のパイプ取付具Ａと、図４のパイプ取付具Ａ（蝶番体型）は、図７のパイプ取付具Ａと、各々対応するものである。
【００５６】
これら図５〜７で示したパイプ取付具Ａによれば、連結材３を２枚の挟着片２、２の基端に形成しているため、前記した各実施例の効果に加え、この連結材３を基点にして２枚の挟着片２、２の先端を十分に開放できるという効果が得られる。
【図面の簡単な説明】
【００５７】
【図１】本発明に係るパイプ取付具Ａの一実施例（一体型）を示した分解斜視図である。
【図２】（ａ）、（ｂ）は、図１で示したパイプ取付具Ａの施工状態を上方から見た動作図である。
【図３】本発明に係るパイプ取付具Ａの他の実施例（板片型）を示した分解斜視図である。
【図４】本発明に係るパイプ取付具Ａの他の実施例（蝶番体型）を示した分解斜視図である。
【図５】本発明に係るパイプ取付具Ａの更に他の実施例（一体型）を示した分解斜視図である。
【図６】本発明に係るパイプ取付具Ａの更に他の実施例（板片型）を示した分解斜視図である。
【図７】本発明に係るパイプ取付具Ａの更に他の実施例（蝶番体型）を示した分解斜視図である。
【符号の説明】
【００５８】
Ａ    パイプ取付具
Ｐ    パイプ
Ｐ１  取付部
Ｈ    壁面
１    固定具
１１  固定部
１２  支持片
２、２  ２枚の挟着片
２１  取付板
２２  挟着部
３    連結材
４    締結具
【図１】
2008308826.tif 000003
【図２】
2008308826.tif 000004
【図３】
2008308826.tif 000005
【図４】
2008308826.tif 000006
【図５】
2008308826.tif 000007
【図６】
2008308826.tif 000008
【図７】
2008308826.tif 000009
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
壁面等に固定可能な固定部に支持片を突設してなる固定具と、
前記支持片に連結可能な取付板の先端に、パイプの外周面から突設された取付部を挟着可能な挟着部を設けた２枚の挟着片と、
前記２枚の挟着片を開閉自在に連結してなる連結材と、
前記２枚の挟着片及び支持片を固着可能な締結具と、より構成してなり、
前記連結材を折曲可能な板片で形成して、前記パイプの取付部の位置に対応するように開放可能とし、更に、前記２枚の挟着片の開き寸法（間隔）は、前記取付部の巾寸法より大きくしたことを特徴とするパイプ取付具。
【手続補正２】
【補正対象書類名】明細書
【補正対象項目名】全文
【補正方法】変更
【補正の内容】
【発明の詳細な説明】
【技術分野】
【０００１】
本発明は、竪樋等のパイプを壁面等に取付けるためのパイプ取付具に関する。
【背景技術】
【０００２】
従来、竪樋等のパイプを壁面等に取付けるためのパイプ取付具として、前記パイプを環状のリング体で包持すると共に、このリング体の基端を壁面等に固定金具で固定するものが一般に知られている。
【０００３】
ところが、このようなパイプ取付具では、施工後のパイプの適所に、前記リング体が点在して外被されてしまうため、住宅のデザイン性を損なうという問題があった。
【０００４】
そこで、このような住宅のデザイン性を確保するため、近年では、施工後のパイプに前記リング体が外被されないように、パイプの背面側の外周面から外方に向けて突設された取付部を長手方向に形成すると共に、前記取付部を弾発的に挟持する挟着片を先端に備えた取付具の基端を、壁面等に固定してなるパイプ取付具が開発されている（例えば、特許文献１参照。）。
【０００５】
このパイプ取付具によれば、取付具の基端を壁面等に固定すると共に、この取付具の先端に設けた挟着片を、パイプの背面側に突設した取付部に弾発的に挟持することによって、施工後のパイプの正面側に取付具が見えることがなく、パイプをスッキリとした感じに仕上げて施工することができる。
【特許文献１】特開２０００−３４８１０
【発明の開示】
【発明が解決しようとする課題】
【０００６】
しかしながら、このパイプ取付具では、施工後のパイプをスッキリとした感じに仕上げることができる点では好ましいが、パイプの背面側に突設した取付部を、取付具の挟着片で弾発的に挟持する構造であるため、パイプの支持力が弱く、例えば、高重量のパイプなどは支持できないという問題に加え、風雨等に晒されるパイプに外的な荷重を受けると、パイプががたついたり、外れたりする危険があった。
【０００７】
又、施工時においては、壁面等に予め複数の取付具を固定したうえで、該取付具の先端に設けた挟着片にパイプの取付部を弾発的に挟持していくのであるが、壁面等に固定された前記取付具の位置が少しでもズレていると、前記パイプの取付部を前記挟着片に挟着することができず、施工が困難であるという問題もあった。
【０００８】
本発明は、かかる課題を解決することを目的とするもので、高重量のパイプなどでも安全、確実に支持することができ、しかも施工性の良いパイプ取付具を提供する。
【課題を解決するための手段】
【０００９】
請求項１に係るパイプ取付具は、壁面等に固定可能な固定部に支持片を突設してなる固定具と、前記支持片に連結可能な取付板の先端に、パイプの外周面から突設された取付部を挟着可能な挟着部を設けた２枚の挟着片と、前記２枚の挟着片を開閉自在に連結してなる連結材と、前記２枚の挟着片及び支持片を固着可能な締結具と、より構成してなり、前記連結材を折曲可能な板片で形成して、前記パイプの取付部の位置に対応するように開放可能とし、更に、前記２枚の挟着片の開き寸法（間隔）は、前記取付部の巾寸法より大きくしたことを特徴とする。
【発明の効果】
【００１０】
本発明によれば、次のような効果がある。
【００１１】
請求項１に係るパイプ取付具によれば、２枚の挟着片を連結材で開閉自在に連結した構造であるため、壁面等に固定した固定具の支持片に前記２枚の挟着片を締結具で仮止めしても、前記２枚の挟着片が開閉自在な状態となる。
【００１２】
そのため、壁面等に固定された前記固定具の位置が多少ズレていても、２枚の挟着片を開放することでパイプの取付部を挟持することができ、この取付部を２枚の挟着片で挟持したうえで、前記締結具を締付け（本締め）すれば、施工後のパイプががたついたり、外れたりする危険を確実に防止でき、施工性を高めることもできる。
【００１３】
又、連結材を折曲可能な板片で形成してなるため、パイプの取付部の位置に対応するように、連結材を折曲して２枚の挟着片を更に開放することができ、施工性をより高めることができる。
【発明を実施するための最良の形態】
【００１４】
以下、本発明に係るパイプ取付具を図面とともに説明する。
【実施例１】
【００１５】
図１は、本発明に係るパイプ取付具Ａの一実施例を示した分解斜視図であり、図２（ａ）、（ｂ）は、図１で示したパイプ取付具Ａの施工状態を上方から見た動作図である。
【００１６】
このパイプ取付具Ａは、壁面Ｈ等に固定可能な固定部１１に支持片１２を突設してなる固定具１と、支持片１２に連結可能な取付板２１の先端に、パイプＰの外周面から長手方向に亘って突設された取付部Ｐ１を挟着可能な挟着部２２を設けた２枚の挟着片２、２と、該２枚の挟着片２、２を開閉自在に連結してなる連結材３と、２枚の挟着片２、２及び支持片１２を固着可能な締結具４と、より構成してなる。
【００１７】
なお、本実施例のパイプＰは、円筒状に形成すると共に、この外周面の背面側に断面略三角形の取付部Ｐ１を一体形成したものを例示しているが、パイプＰの形状としては、図例のものに限定されず、例えば、四角筒状に形成したもの、三角筒状に形成したものでも構わない。
【００１８】
また、取付部Ｐ１の形状についても図例のものに限定されず、例えば、断面略四角形状や多角形状に形成したものでも良く、要は、取付部Ｐ１を２枚の挟着片２、２の挟着部２２によって挟着できる形状であれば採用できる。
【００１９】
固定具１は、壁面等に固定するための固定部１１を設け、この固定部１１の前方に向けて板状の支持片１２を一体形成している。
【００２０】
又、支持片１２には、前、後に向けて長孔１３を開設すると共に、２枚の挟着片２、２の取付板２１にも前、後に向けて長孔２３、２３を開設しており、壁面Ｈ等に固定される支持片１２に対して２枚の挟着片２、２が前、後方向に出具合を調整できるようにしている。
【００２１】
なお、本実施例の固定部１１は、壁面Ｈ等に埋設して固定されるボルト軸を例示しているが、この固定部１１は、固定具１を壁面Ｈ等に確実に固定できるものであれば良く、例えば、ボルト、ナットや、ネジ等による固定手段、釘等による固定手段であっても構わない。
【００２２】
２枚の挟着片２、２は、１枚の金属板を折り曲げて２枚の取付板２１、２１を形成し、その折曲げた部分を連結材３にして、２枚の挟着片２、２を開閉自在に連結している。
【００２３】
もっとも、後述するように、２枚の挟着片２、２を各々別体で形成し、両者を連結材３で連結することも可能である。
【００２４】
又、２枚の取付板２１、２１の先端には、一旦外側に向けて折曲膨出させて更に内側に折返した挟着部２２を各々形成しており、両者の挟着部２２を合わせることでパイプＰの取付部Ｐ１を挟着可能にしている。
【００２５】
なお、前述の通り、パイプＰの取付部Ｐ１の形状が変われば、その形状に応じた挟着部２２を形成することは当然である。
【００２６】
又、図示しないが、２枚の取付板２１、２１の適所に補強用リブを形成し、部材の強度を高めることも可能である。
【００２７】
締結具４は、ボルト４１及びナット４２で構成しているが、２枚の挟着片２、２及び支持片１１を固着可能なものであれば、本実施例で示したボルト４１、ナット４２以外の構成による締結具４を採用することは可能である。
【００２８】
なお、本実施例では、１組のボルト４１とナット４２を例示しているが、その数量は特に限定されず、例えば、複数組のボルト４１とナット４２で締結すれば、パイプ取付具Ａの振れを防止できるため好ましい。
【００２９】
以上のように構成した本発明に係るパイプ取付具Ａは、以下の要領で施工する。
【００３０】
先ず、壁面等の適所にアンカー（不図示）等を埋設し、このアンカー（不図示）等に固定具１の固定部１１を螺合して、複数の固定具１を所定間隔で壁面Ｈ等に固定する。
【００３１】
次に、２枚の挟着片２、２の取付板２１に開設した長孔２３の一方からボルト４１を貫通したうえで、このボルト４１を更に固定具１に突設された支持片１２の長孔１３に貫通させ、他方からナット４２を軽く締めて（仮締めして）２枚の挟着片２、２を仮止めする〔（図２（ａ）参照。〕。
【００３２】
この仮締め状態においては、２枚の挟着片２、２及び支持片１２が一体化しているが、２枚の挟着片２、２は、ボルト４１の略長さに応じて開閉可能な状態である。
【００３３】
そのため、２枚の挟着片２、２を手指で押し広げると先端を開放でき、この開放した２枚の挟着片２、２の間に、パイプＰの取付部Ｐ１を容易に挿入することができる。
【００３４】
そして、２枚の挟着片２、２を手指で閉めれば、挟着部２２がパイプＰの取付部Ｐ１を挟持し、この仮挟持した状態で、パイプＰの長手方向又は出具合（半径方向）を所望の位置に調節する。
【００３５】
なお、２枚の挟着片２、２の開き寸法（間隔）は、取付部Ｐ１の巾寸法より大きくしている。
【００３６】
最後に、ナット４２を締め付けて２枚の挟着片２、２及び支持片１１をスパナ等の工具で確実に締付けて（本締めして）施工を完了するのである〔（図２（ｂ）参照。〕。
【００３７】
このように、本発明に係るパイプ取付具Ａによれば、２枚の挟着片２、２を連結材３で開閉自在に連結した構造であるため、壁面Ｈ等に固定した固定具１の支持片１１に２枚の挟着片２、２を締結具４で仮止めしても、２枚の挟着片２、２が開閉自在な状態となる。
【００３８】
そのため、壁面Ｈ等に固定された固定具１の位置が多少ズレていても、２枚の挟着片２、２を開放することでパイプＰの取付部Ｐ１を挟持することができ、この取付部Ｐ１を２枚の挟着片２、２で挟持したうえで、締結具４を締付け（本締め）すれば、施工後のパイプＰががたついたり、外れたりする危険を確実に防止して、高重量のパイプＰなどでも安全、確実に支持することができる。
【００３９】
又、２枚の挟着片２、２を壁面等に固定した固定具１の支持片１２に仮止めできるうえ、パイプＰの位置も容易に調節できるため、作業性を高めることができるうえ安全である。
【実施例２】
【００４０】
図３は、本発明に係るパイプ取付具Ａの他の実施例を示した分解斜視図である。
【００４１】
ここで、図１、２と共通する部材には、同一の符号を付して重複する説明を省略し、以下では、本実施例の特徴についてのみ説明する。
【００４２】
図３で示したパイプ取付具Ａは、２枚の挟着片２、２を各々別体で形成し、両者を折曲可能な板片で形成してなる連結材３によって連結した構造にしている。
【００４３】
具体的には、２枚の挟着片２、２の上方適所に、各々連結孔２４を開設すると共に、板片の連結材３の両端側に同径の連結孔３１を開設する。
【００４４】
そして、この板片の連結材３３を、図のように湾曲させて２枚の挟着片２、２の外側に接合して、連結材３の連結孔３１を２枚の挟着片２、２の各々連結孔２４に重合し、外方よりリベット３２で固着してなる。
【００４５】
このように連結材３を折曲可能な板片で形成してなるパイプ取付具Ａによれば、パイプＰの取付部Ｐ１の位置に対応するように、連結材３を折曲して２枚の挟着片２、２を更に開放することができ、施工性をより高めることができる。
【００４６】
図４は、本発明の参考例を示した分解斜視図である。この図４で示したパイプ取付具Ａは、２枚の挟着片２、２を各々別体で形成し、両者を開閉自在な蝶番体で形成してなる連結材３によって連結した構造にしている。
【００４７】
具体的には、２枚の挟着片２、２の上方適所を相互に異なる位置で筒状に形成して軸受部２５を形成すると共に、これら軸受部２５に軸部材２５を貫通して、軸受部２５の先端をカシメ止め、２枚の挟着片２、２を開閉自在な蝶番体に形成してなる。
【００４８】
このように連結材３を蝶番体で形成してなるパイプ取付具Ａによれば、２枚の挟着片２、２を蝶番体でスムーズに開閉することができ、施工性をより高めることができる。
【００４９】
図５及び図６は、本発明に係るパイプ取付具Ａの更に他の実施例を示した分解斜視図である。
【００５０】
ここで、図１〜図３と共通する部材には、同一の符号を付して重複する説明を省略し、以下では、本実施例の特徴についてのみ説明する。
【００５１】
すなわち、図１〜図３で示したパイプ取付具Ａの連結材３が、２枚の挟着片２、２の上端に形成したのに対し、これら図５及び図６では、連結材３を２枚の挟着片２、２の基端に形成した点で相違するものである。
【００５２】
具体的には、図１、２のパイプ取付具Ａ（一体型）は、図５のパイプ取付具Ａと、図３のパイプ取付具Ａ（板片型）は、図６のパイプ取付具Ａと各々対応するものである。
【００５３】
これら図５及び図６で示したパイプ取付具Ａによれば、連結材３を２枚の挟着片２、２の基端に形成しているため、前記した各実施例の効果に加え、この連結材３を基点にして２枚の挟着片２、２の先端を十分に開放できるという効果が得られる。
【００５４】
なお、図７は、本発明の参考例を示した分解斜視図であり、図４で示したパイプ取付具Ａの連結材３を基端に形成したものである。
【図面の簡単な説明】
【００５５】
【図１】本発明に係るパイプ取付具Ａの一実施例（一体型）を示した分解斜視図である。
【図２】（ａ）、（ｂ）は、図１で示したパイプ取付具Ａの施工状態を上方から見た動作図である。
【図３】本発明に係るパイプ取付具Ａの他の実施例（板片型）を示した分解斜視図である。
【図４】本発明の参考例（蝶番体型）を示した分解斜視図である。
【図５】本発明に係るパイプ取付具Ａの更に他の実施例（一体型）を示した分解斜視図である。
【図６】本発明に係るパイプ取付具Ａの更に他の実施例（板片型）を示した分解斜視図である。
【図７】本発明の参考例（蝶番体型）を示した分解斜視図である。
【符号の説明】
【００５６】
Ａ    パイプ取付具
Ｐ    パイプ
Ｐ１  取付部
Ｈ    壁面
１    固定具
１１  固定部
１２  支持片
２、２  ２枚の挟着片
２１  取付板
２２  挟着部
３    連結材
４    締結具